(57)【要約】【課題】分電盤と蓄電装置との電力のやり取りに関して、太陽光発電部の有無に応じた二つのモードを有し、前記二つのモードのうち太陽光発電部が有る場合に選択される一のモードを実行して当該太陽光発電部で発電された電力を売電しても、電力の買取価格（売電価格）は安くならず、経済的な利益を得ることができる電力供給システムを提供する。【解決手段】蓄電装置３０と、分電盤２０と蓄電装置３０との電力のやり取りを制御する制御手段５０と、を具備し、制御手段５０は、分電盤２０と蓄電装置３０との電力のやり取りに関するノーマルモード及び太陽光発電モードを択一的に実行可能であり、ノーマルモード及び太陽光発電モードの選択は、太陽光を受けて発電可能な太陽光発電部６０の有無に応じて、前記電力供給システムを導入する建築物の居住者以外の管理者により行われる。【選択図】図１０
2014132816.tif 000002
【特許請求の範囲】
【請求項１】
分電盤と接続され、前記分電盤と電力のやり取りが可能であって充放電可能な蓄電装置と、
前記分電盤と前記蓄電装置との電力のやり取りを制御する制御手段と、
を具備する電力供給システムであって、
前記制御手段は、前記分電盤と前記蓄電装置との電力のやり取りに関する第一モード及び第二モードを択一的に実行可能であり、
前記第一モード及び前記第二モードの選択は、太陽光を受けて発電可能な太陽光発電部の有無に応じて、前記電力供給システムを導入する建築物の居住者以外の管理者により行われる、
ことを特徴とする電力供給システム。
【請求項２】
前記太陽光発電部を有する場合に選択される第二モードは、第三モードを含み、
前記第三モードが選択された場合には、
前記太陽光発電部が発電し、かつ、前記太陽光発電部からの電力が前記商用電源へと逆潮流している場合には、前記蓄電装置から前記分電盤への電力の放電を不可能とする、
ことを特徴とする請求項１に記載の電力供給システム。
【請求項３】
前記太陽光発電部を有する場合に選択される第二モードは、第四モードを含み、
前記第四モードが選択された場合には、
前記太陽光発電部が発電し、かつ、前記太陽光発電部から前記分電盤に供給した電力に余剰が生じた場合には、前記余剰電力を前記商用電源へと逆潮流させずに前記蓄電装置に充電し、
前記太陽光発電部が発電していない場合には、前記蓄電装置から前記分電盤に電力を放電する、
ことを特徴とする請求項１または請求項２に記載の電力供給システム。
【請求項４】
前記第三モード及び前記第四モードは、前記居住者が選択可能である、
ことを特徴とする請求項３に記載の電力供給システム。
【請求項５】
前記制御手段は、前記第一モード及び前記第二モードの選択に関して複数の選択肢を階層化させた階層情報を有し、
前記第一モード及び前記第二モードの選択は、前記複数の選択肢を上位から下位の階層に移行させていくことにより行われる、
ことを特徴とする請求項１から請求項４までのいずれか一項に記載の電力供給システム。
【請求項６】
前記制御手段は、前記第一モード及び前記第二モードに加えて第五モードを択一的に実行可能であり、
前記第一モード、前記第二モード、及び前記第五モードの選択は、前記太陽光発電部及び燃料電池の有無に応じて、前記管理者により行われる、
ことを特徴とする請求項１から請求項５までのいずれか一項に記載の電力供給システム。
【請求項７】
前記燃料電池を有する場合に選択される第五モードは、第六モードを含み、
前記第六モードが選択された場合には、
前記燃料電池からの電力を優先的に前記分電盤に供給する状態となり、
前記燃料電池及び前記太陽光発電部からの電力を前記分電盤に供給し、前記太陽光発電部の余剰電力を前記商用電源へと逆潮流している場合には、
前記蓄電装置を放電して前記分電盤に電力を供給することにより、
前記太陽光発電部の余剰電力の電力量を増やして前記商用電源に逆潮流させる、
ことを特徴とする請求項６に記載の電力供給システム。
【請求項８】
前記燃料電池を有する場合に選択される第五モードは、第七モードを含み、
前記第七モードが選択された場合には、
前記燃料電池からの電力を優先的に前記分電盤に供給する状態となり、
前記商用電源及び前記燃料電池からの電力を前記分電盤に供給している場合には、
前記商用電源及び前記燃料電池から前記分電盤に供給する電力の電力量を、少なくとも前記燃料電池の最大発電量よりも多い電力量として設定される第一電力量とする、
ことを特徴とする請求項６または請求項７に記載の電力供給システム。
【請求項９】
前記第六モード及び前記第七モードは、前記居住者が選択可能である、
ことを特徴とする請求項８に記載の電力供給システム。
【請求項１０】
前記制御手段は、前記第一モード、前記第二モード、及び前記第五モードの選択に関して複数の選択肢を階層化させた階層情報を有し、
前記第一モード、前記第二モード、及び前記第五モードの選択は、前記複数の選択肢を上位から下位の階層に移行させていくことにより行われる、
ことを特徴とする請求項６から請求項９までのいずれか一項に記載の電力供給システム。
【発明の詳細な説明】
【技術分野】
【０００１】
本発明は、分電盤と接続され、前記分電盤と電力のやり取りが可能であって充放電可能な蓄電装置と、前記分電盤と前記蓄電装置との電力のやり取りを制御する制御手段と、を具備する電力供給システムの技術に関する。
【背景技術】
【０００２】
従来、分電盤と接続され、前記分電盤と電力のやり取りが可能であって充放電可能な蓄電装置と、前記分電盤と前記蓄電装置との電力のやり取りを制御する制御手段と、を具備する電力供給システムの技術は公知となっている。例えば、特許文献１に記載の如くである。
【０００３】
特許文献１に記載の技術において、電力供給システムは、太陽光を受けて発電可能な太陽光発電部を有する。そして、太陽光発電部で発電された電力は蓄電装置に充電され、当該蓄電装置に充電された電力は放電されて分電盤に供給される。また、太陽光発電部で発電された電力は、商用電源に逆潮流させて売電することができる。
【０００４】
しかしながら、特許文献１に記載の技術において、電力供給システムを、分電盤と蓄電装置との電力のやり取りに関して、太陽光発電部の有無に応じた二つのモードを有するものとした場合には、次のような問題が生じる。
【０００５】
すなわち、例えば「電力供給システムが、分電盤と蓄電装置との電力のやり取りに関して、太陽光発電部の有無に応じた二つのモードを有するものである場合に、どちらのモードが実行されているのかを区別できなければ、電力の買取価格は安くなる」という規定がある場合には、前記二つのモードのうち太陽光発電部が有る場合に選択される一のモードを実行して当該太陽光発電部で発電された電力を売電しても、どちらのモードが実行されているのかを電力会社が区別できず前記規定に該当することになるため、電力の買取価格（売電価格）は安くなり、経済的な利益を得難くなるという問題が生じる。
【先行技術文献】
【特許文献】
【０００６】
【特許文献１】特開２０１２−０８５４０２号公報
【発明の概要】
【発明が解決しようとする課題】
【０００７】
本発明は以上の如き状況に鑑みてなされたものであり、その解決しようとする課題は、分電盤と蓄電装置との電力のやり取りに関して、太陽光発電部の有無に応じた二つのモードを有する電力供給システムであって、例えば「電力供給システムが、分電盤と蓄電装置との電力のやり取りに関して、太陽光発電部の有無に応じた二つのモードを有するものである場合に、どちらのモードが実行されているのかを区別できなければ、電力の買取価格は安くなる」という規定がある場合に、前記二つのモードのうち太陽光発電部が有る場合に選択される一のモードを実行して当該太陽光発電部で発電された電力を売電しても、電力の買取価格（売電価格）は安くならず、経済的な利益を得ることができる電力供給システムを提供することである。
【課題を解決するための手段】
【０００８】
本発明の解決しようとする課題は以上の如くであり、次にこの課題を解決するための手段を説明する。
【０００９】
即ち、請求項１においては、分電盤と接続され、前記分電盤と電力のやり取りが可能であって充放電可能な蓄電装置と、前記分電盤と前記蓄電装置との電力のやり取りを制御する制御手段と、を具備する電力供給システムであって、前記制御手段は、前記分電盤と前記蓄電装置との電力のやり取りに関する第一モード及び第二モードを択一的に実行可能であり、前記第一モード及び前記第二モードの選択は、太陽光を受けて発電可能な太陽光発電部の有無に応じて、前記電力供給システムを導入する建築物の居住者以外の管理者により行われるものである。
【００１０】
請求項２においては、前記太陽光発電部を有する場合に選択される第二モードは、第三モードを含み、前記第三モードが選択された場合には、前記太陽光発電部が発電し、かつ、前記太陽光発電部からの電力が前記商用電源へと逆潮流している場合には、前記蓄電装置から前記分電盤への電力の放電を不可能とするものである。
【００１１】
請求項３においては、前記太陽光発電部を有する場合に選択される第二モードは、第四モードを含み、前記第四モードが選択された場合には、前記太陽光発電部が発電し、かつ、前記太陽光発電部から前記分電盤に供給した電力に余剰が生じた場合には、前記余剰電力を前記商用電源へと逆潮流させずに前記蓄電装置に充電し、前記太陽光発電部が発電していない場合には、前記蓄電装置から前記分電盤に電力を放電するものである。
【００１２】
請求項４においては、前記第三モード及び前記第四モードは、前記居住者が選択可能であるものである。
【００１３】
請求項５においては、前記制御手段は、前記第一モード及び前記第二モードの選択に関して複数の選択肢を階層化させた階層情報を有し、前記第一モード及び前記第二モードの選択は、前記複数の選択肢を上位から下位の階層に移行させていくことにより行われるものである。
【００１４】
請求項６においては、前記制御手段は、前記第一モード及び前記第二モードに加えて第五モードを択一的に実行可能であり、前記第一モード、前記第二モード、及び前記第五モードの選択は、前記太陽光発電部及び燃料電池の有無に応じて、前記管理者により行われるものである。
【００１５】
請求項７においては、前記燃料電池を有する場合に選択される第五モードは、第六モードを含み、前記第六モードが選択された場合には、前記燃料電池からの電力を優先的に前記分電盤に供給する状態となり、前記燃料電池及び前記太陽光発電部からの電力を前記分電盤に供給し、前記太陽光発電部の余剰電力を前記商用電源へと逆潮流している場合には、前記蓄電装置を放電して前記分電盤に電力を供給することにより、前記太陽光発電部の余剰電力の電力量を増やして前記商用電源に逆潮流させるものである。
【００１６】
請求項８においては、前記燃料電池を有する場合に選択される第五モードは、第七モードを含み、前記第七モードが選択された場合には、前記燃料電池からの電力を優先的に前記分電盤に供給する状態となり、前記商用電源及び前記燃料電池からの電力を前記分電盤に供給している場合には、前記商用電源及び前記燃料電池から前記分電盤に供給する電力の電力量を、少なくとも前記燃料電池の最大発電量よりも多い電力量として設定される第一電力量とするものである。
【００１７】
請求項９においては、前記第六モード及び前記第七モードは、前記居住者が選択可能であるものである。
【００１８】
請求項１０においては、前記制御手段は、前記第一モード、前記第二モード、及び前記第五モードの選択に関して複数の選択肢を階層化させた階層情報を有し、前記第一モード、前記第二モード、及び前記第五モードの選択は、前記複数の選択肢を上位から下位の階層に移行させていくことにより行われるものである。
【発明の効果】
【００１９】
本発明の効果として、以下に示すような効果を奏する。
【００２０】
請求項１においては、分電盤と蓄電装置との電力のやり取りに関して、太陽光発電部の有無に応じた二つのモードを有し、例えば「電力供給システムが、分電盤と蓄電装置との電力のやり取りに関して、太陽光発電部の有無に応じた二つのモードを有するものである場合に、どちらのモードが実行されているのかを区別できなければ、電力の買取価格は安くなる」という規定がある場合に、前記二つのモードのうち太陽光発電部が有る場合に選択される一のモードを実行して当該太陽光発電部で発電された電力を売電しても、管理者が予め選択し、居住者によって勝手に変更されることがないので、電力会社に選択内容を通知しておけば区別可能であり前記規定に該当することにならないため、電力の買取価格（売電価格）は安くならず、経済的な利益を得ることができる。
【００２１】
請求項２においては、居住者に金銭的な利益を与えることができる。
【００２２】
請求項３においては、省エネ効果を得ることができる。
【００２３】
請求項４においては、第三モード及び第四モードを居住者が選択することができる。
【００２４】
請求項５においては、モードの選択を行い易くすることができる。
【００２５】
請求項６においては、分電盤と蓄電装置との電力のやり取りに関して、太陽光発電部及び燃料電池の有無に応じた複数のモードを有し、例えば「電力供給システムが、分電盤と蓄電装置との電力のやり取りに関して、太陽光発電部及び燃料電池の有無に応じた複数のモードを有するものである場合に、どのモードが実行されているのかを区別できなければ、電力の買取価格は安くなる」という規定がある場合に、管理者がモードを予め選択し、居住者によって勝手に変更されることがないので、電力会社に選択内容を通知しておけば区別可能であり前記規定に該当することにならないため、電力の買取価格（売電価格）は安くならず、経済的な利益を得ることができる。
【００２６】
請求項７においては、居住者に金銭的な利益を与えることができる。
【００２７】
請求項８においては、省エネ効果を得ることができる。
【００２８】
請求項９においては、第六モード及び第七モードを居住者が選択することができる。
【００２９】
請求項１０においては、モードの選択を行い易くすることができる。
【図面の簡単な説明】
【００３０】
【図１】本発明の第一実施形態に係る電力供給システムの構成を示したブロック図。
【図２】同じく、電力供給システムの第一モードにおける電力の供給態様を示したブロック図。
【図３】同じく、電力供給システムの第一モードにおける電力の供給態様を示したブロック図。
【図４】本発明の第二実施形態に係る電力供給システムの構成を示したブロック図。
【図５】同じく、電力供給システムの第二モードのうち、第三モードにおける電力の供給態様を示したブロック図。
【図６】同じく、電力供給システムの第二モードのうち、第三モードにおける電力の供給態様を示したフローチャート。
【図７】同じく、電力供給システムの第二モードのうち、第四モードにおける電力の供給態様を示したブロック図。
【図８】同じく、電力供給システムの第二モードのうち、第四モードにおける電力の供給態様を示したブロック図。
【図９】同じく、電力供給システムの第二モードのうち、第四モードにおける電力の供給態様を示したフローチャート。
【図１０】同じく、モード選択の構成を示したフローチャート。
【図１１】本発明の第三実施形態に係る電力供給システムの構成を示したブロック図。
【図１２】同じく、電力供給システムの第五モードのうち、第六モードにおける電力の供給態様を示したフローチャート。
【図１３】同じく、電力供給システムの第五モードのうち、第七モードにおける電力の供給態様を示したフローチャート。
【図１４】同じく、モード選択の構成を示したフローチャート。
【図１５】図１４の続きを示したフローチャート。
【発明を実施するための形態】
【００３１】
以下では、図１を用いて、本発明の第一実施形態に係る電力供給システム１００の構成について説明する。
【００３２】
電力供給システム１００は、住宅に設けられ、商用電源１０からの電力を負荷へと供給するものである。電力供給システム１００は、主として分電盤２０、蓄電装置３０、操作部４０、制御手段５０、を具備する。
【００３３】
分電盤２０は、図示せぬ漏電遮断器、配線遮断器、制御ユニット等をまとめたものである。分電盤２０は、電力の入力側に商用電源１０が接続され、電力の出力側に複数の負荷（不図示）及び蓄電装置３０が接続される。
【００３４】
蓄電装置３０は、電力を充放電可能であって、分電盤２０と電力のやり取りが可能なものである。蓄電装置３０は、電力の入力側及び出力側に分電盤２０がそれぞれ接続される。
【００３５】
より詳細には、蓄電装置３０は、主として充電器３１、蓄電池３２、インバータ３３、を具備する。
【００３６】
充電器３１は、分電盤２０から供給された電力を所定電圧に変換すると共に整流し、蓄電池３２に供給（充電）させるものである。充電器３１は、制御手段５０により作動が制御され、作動開始「入」と作動停止「切」とが切り替え可能に構成される。充電器３１は、電力の入力側に分電盤２０が接続され、電力の出力側に蓄電池３２が接続される。
【００３７】
蓄電池３２は、電力を充放電可能なものである。蓄電池３２は、リチウムイオン電池やニッケル水素電池等により構成される。蓄電池３２は、電力の入力側に充電器３１が接続され、電力の出力側にインバータ３３が接続される。
【００３８】
インバータ３３は、蓄電池３２から放電された（直流）電力を交流電力に変換し、分電盤２０に供給するものである。インバータ３３は、制御手段５０により作動が制御され、作動開始「入」と作動停止「切」とが切り替え可能に構成される。インバータ３３は、電力の入力側に蓄電池３２が接続され、電力の出力側に分電盤２０が接続される。
【００３９】
操作部４０は、電力供給システム１００の運転操作やメンテナンスを行うためのものである。操作部４０は、本実施形態においてはタッチパネル式の液晶ディスプレイ４１を備えた携帯端末であり、モードを選択するモードボタンや、各種項目の選択及び設定を行う選択・設定ボタン等を表示してタッチ操作可能に構成される。
【００４０】
例えば、操作部４０は、分電盤２０と蓄電装置３０との電力のやり取りに関するモードの選択操作が、管理者により行われるように構成される。
ここで、前記「管理者」とは、電力供給システム１００を住宅に導入する施工業者や当該電力供給システム１００のメンテナンスを行うメンテナンス業者等の作業者である。すなわち、前記「管理者」とは、電力供給システム１００が導入されている住宅の居住者とは明確に区別される者である。
なお、前記「分電盤２０と蓄電装置３０との電力のやり取りに関するモード」についての詳細な説明は後述する。
【００４１】
制御手段５０は、電力供給システム１００内の情報を管理すると共に、蓄電装置３０（より詳細には、充電器３１やインバータ３３）等の作動を制御するものである。制御手段５０は、ＲＡＭやＲＯＭ等の記憶部やＣＰＵ等の演算処理部等と、ＢＭＵ（バッテリマネジメントユニット）５１と、ＳＭＵ（システムマネジメントユニット）５２と、ＰＭＵ（パワーマネジメントユニット）５３等により構成される。
【００４２】
ＢＭＵ５１は、蓄電池３２の電圧や電流や温度等の状態を管理し、当該状態に関する信号を出力可能に構成されるものである。
ＳＭＵ５２は、ＢＭＵ５１から取得した蓄電池３２の状態に関する信号に基づき、当該蓄電池３２の充放電の開始や停止を判定し、当該判定結果に関する信号を出力可能に構成される。
ＰＭＵ５３は、ＳＭＵ５２から取得した判定結果に関する信号に基づき、インバータ３３の作動を制御可能に構成される。
なお、制御手段５０において、前記記憶部や演算処理部等と、ＢＭＵ５１と、ＳＭＵ５２と、ＰＭＵ５３とは、各種の信号のやり取りが可能となるように電気的に接続される。
【００４３】
なお、制御手段５０は、外部から出力された信号の受信部として、操作部４０と電気的に接続される。制御手段５０は、操作部４０に行われた操作に関する信号を受信することができる。
【００４４】
また、制御手段５０は、当該制御手段５０から発信される信号の送信部として、操作部４０と電気的に接続される。制御手段５０は、例えば分電盤２０と蓄電装置３０との電力のやり取りに関する信号を操作部４０に送信することができる。
【００４５】
また、制御手段５０は、当該制御手段５０から発信される信号の送信部として、充電器３１と電気的に接続される。制御手段５０は、充電器３１の作動に関する信号を当該充電器３１に送信することができる。
【００４６】
また、制御手段５０は、当該制御手段５０から発信される信号の送信部として、インバータ３３と電気的に接続される。制御手段５０は、インバータ３３の作動に関する信号を当該インバータ３３に送信することができる。
【００４７】
次に、前述の如く構成された電力供給システム１００における電力の供給態様について説明する。
【００４８】
商用電源１０から供給された（交流）電力は、分電盤２０に供給される。
【００４９】
分電盤２０に供給された電力は、当該分電盤２０に接続された複数の負荷に供給される。これによって、居住者は、住宅の照明を点灯させたり、調理器具やエアコンを使用したりすることができる。
【００５０】
また、分電盤２０に供給された電力は、適宜に蓄電装置３０に供給されて当該蓄電装置３０（より詳細には、蓄電池３２）に充電される。なお、蓄電池３２の充電は、制御手段５０による充電器３１の作動の制御により行われる。より詳細には、充電器３１が制御手段５０により「入」とされた場合には、分電盤２０から蓄電池３２に電力が供給され、当該蓄電池３２に電力が充電される。一方、充電器３１が制御手段５０により「切」とされた場合には、分電盤２０から蓄電池３２に電力が供給されず、当該蓄電池３２に電力が充電されない。
【００５１】
また、蓄電装置３０に充電された電力は、適宜に当該蓄電装置３０（より詳細には、蓄電池３２）から放電されて分電盤２０に供給される。なお、蓄電池３２の放電は、制御手段５０によるインバータ３３の作動の制御により行われる。より詳細には、インバータ３３が制御手段５０により「入」とされた場合には、蓄電池３２に充電された電力が放電されて分電盤２０に供給される。一方、インバータ３３が制御手段５０により「切」とされた場合には、蓄電池３２から電力が放電されず、当該蓄電池３２に充電された電力が分電盤２０に供給されない。
【００５２】
次に、図２及び図３を用いて、前述の如き電力供給システム１００における電力の供給態様のうち、分電盤２０と蓄電装置３０との電力のやり取りについて説明する。
【００５３】
制御手段５０には、分電盤２０と蓄電装置３０との電力のやり取りに関して複数のモードが予め設定される。本実施形態においては、前記「複数のモード」として、ノーマルモード及び太陽光発電モードが予め設定される。なお、ノーマルモード及び太陽光発電モードに関する情報は、例えば制御手段５０の構成要素の一つである記憶部に格納される。
【００５４】
なお、電力供給システム１００においては、ノーマルモード及び太陽光発電モードのうち、ノーマルモードが選択される。
ノーマルモードは、太陽光を利用して発電する装置である太陽光発電部６０が、電力供給システムに無い場合に選択されるモードである。
【００５５】
ノーマルモードでは、消費電力量が少ない深夜の時間帯に、商用電源１０からの電力が蓄電装置３０に供給されて当該蓄電装置３０に充電される。そして、消費電力量の多い昼間の時間帯に、蓄電装置３０に充電された電力が放電されて分電盤２０に供給される。
【００５６】
より詳細には、図２に示すように、ノーマルモードが選択された場合に、予め設定された深夜時間となると、制御手段５０により充電器３１が作動され、商用電源１０からの電力が蓄電池３２に供給されて当該蓄電池３２に充電される。なお、商用電源１０からの電力が蓄電池３２に充電されている間は、インバータ３３は作動されず、当該蓄電池３２に充電された電力は放電されない。
【００５７】
また、図３に示すように、ノーマルモードが選択された場合に、予め設定された昼間時間となると、制御手段５０によりインバータ３３が作動され、蓄電池３２に充電された電力が放電されて分電盤２０に供給される。なお、蓄電池３２から放電された電力が分電盤２０に供給されている間は、充電器３１は作動されず、商用電源１０からの電力が蓄電池３２に供給されない。
【００５８】
このように、ノーマルモードが選択された場合には、消費電力量の少ない時間帯に商用電源１０から供給された電力を、消費電力量の多い時間帯に使用するものであるため、商用電源１０から供給される電力の供給不足を回避することができる。
【００５９】
また、深夜の時間帯に商用電源１０から供給される電力は、比較的料金の安い深夜電力である。したがって、ノーマルモードが選択された場合には、深夜の時間帯に蓄電装置３０に充電された電力を昼間の時間帯に使用することによって、商用電源１０から供給される比較的料金の高い（昼間）電力の買電を減らすことができ、電力料金を節約することができる。
【００６０】
以下では、図４を用いて、本発明の第二実施形態に係る電力供給システム２００の構成について説明する。
【００６１】
電力供給システム２００は、住宅に設けられ、商用電源１０からの電力を負荷へと供給するものである。電力供給システム２００は、主として太陽光発電部６０、分電盤２０、蓄電装置３０、操作部４０、制御手段５０、を具備する。
【００６２】
なお、本発明の第二実施形態に係る電力供給システム２００の構成において、本発明の第一実施形態に係る電力供給システム１００の構成と異なる点は、太陽光発電部６０を具備する点である。以下では、電力供給システム２００の構成において、電力供給システム１００の構成と異なる点について説明し、当該電力供給システム１００の構成と同一である点については、その説明を省略する。
【００６３】
太陽光発電部６０は、太陽光を利用して発電する装置であり、太陽電池パネル等により構成される。太陽光発電部６０は、例えば、住宅の屋根の上等の日当たりの良い場所に設置される。太陽光発電部６０は、電力の出力側に分電盤２０及び商用電源１０が接続される。
【００６４】
分電盤２０は、図示せぬ漏電遮断器、配線遮断器、制御ユニット等をまとめたものである。分電盤２０は、電力の入力側に太陽光発電部６０及び商用電源１０が接続され、電力の出力側に複数の負荷（不図示）及び蓄電装置３０が接続される。
【００６５】
次に、前述の如く構成された電力供給システム２００における電力の供給態様について説明する。
【００６６】
太陽光発電部６０で発電された（直流）電力は、パワーコンディショナ（不図示）により交流電力に変換され、分電盤２０に供給される。また、太陽光発電部６０で発電された（直流）電力は、パワーコンディショナ（不図示）により交流電力に変換され、適宜に商用電源１０に逆潮流される。
【００６７】
次に、図５から図９を用いて、前述の如き電力供給システム２００における電力の供給態様のうち、分電盤２０と蓄電装置３０との電力のやり取りについて説明する。
【００６８】
なお、電力供給システム２００においては、ノーマルモード及び太陽光発電モードのうち、太陽光発電モードが選択される。
太陽光発電モードは、太陽光を利用して発電する装置である太陽光発電部６０が、電力供給システムに有る場合に選択されるモードである。
【００６９】
なお、太陽光発電モードとして、太陽光発電第一モード及び太陽光発電第二モードという二つのモードが予め設定される。なお、太陽光発電第一モード及び太陽光発電第二モードに関する情報は、例えば制御手段５０の構成要素の一つである記憶部に格納される。
【００７０】
まず、太陽光発電モードのうち、太陽光発電第一モードについて詳細に説明する。
【００７１】
太陽光発電第一モードとは、居住者に金銭的な利益を与えることを目的として、分電盤２０と蓄電装置３０との電力のやり取りが設定されたものである。
【００７２】
より詳細には、図５に示すように、太陽光発電第一モードが選択された場合、太陽光発電部６０が発電し、かつ、太陽光発電部６０で発電された電力が商用電源１０へと逆潮流すると、インバータ３３は作動されず、蓄電池３２に充電された電力が分電盤２０に供給されない（すなわち、蓄電装置３０から分電盤２０への電力の供給を不可能とする）。
【００７３】
これによって、例えば、太陽光発電部６０が発電中に蓄電装置３０に充電された電力が分電盤２０に供給されると電力の買取価格（売電価格）が安くなるという規定がある場合に、蓄電装置３０から分電盤２０への電力の供給を不可能とすることにより、太陽光発電部６０で発電された電力の買取価格（売電価格）が安くなることを防止することができる。すなわち、太陽光発電第一モードが選択された場合には、居住者に金銭的な利益を与えることができる。
【００７４】
以下では、太陽光発電第一モードが選択された場合の制御手段５０の制御態様について、図６のフローチャートを用いて説明する。
【００７５】
ステップＳ１０１において、制御手段５０は、現在の時間が予め設定された充電時間であるか否かを判定する。なお、当該判定は、制御手段５０のＳＭＵ５２により当該ＳＭＵ５２が有するタイマ（不図示）を使用して行われる。なお、予め設定された充電時間とは、商用電源１０から供給される電力が比較的料金の安い深夜電力となる深夜の時間帯が想定される。
制御手段５０は、現在の時間が予め設定された充電時間であると判定した場合には、ステップＳ１０８へ移行する。
制御手段５０は、現在の時間が予め設定された充電時間ではないと判定した場合には、ステップＳ１０２へ移行する。
【００７６】
ステップＳ１０２において、制御手段５０は、蓄電装置３０に電力（容量）が残存しているか否かを判定する。なお、当該判定は、制御手段５０のＢＭＵ５１により取得された蓄電池３２の状態に関する信号に基づいてＳＭＵ５２により行われる。
制御手段５０は、蓄電装置３０に電力が残存していると判定した場合には、ステップＳ１０３へ移行する。
制御手段５０は、蓄電装置３０に電力が残存していないと判定した場合には、ステップＳ１０６へ移行する。
【００７７】
ステップＳ１０３において、制御手段５０は、蓄電装置３０の充放電に関して放電指示を行う。なお、当該指示は、制御手段５０のＳＭＵ５２からＰＭＵ５３に対して行われる。
制御手段５０は、ステップＳ１０３の処理を行った後、ステップＳ１０４へ移行する。
【００７８】
ステップＳ１０４において、制御手段５０は、太陽光発電部６０が発電しているか、又は分電盤２０で消費されている電力の電力量が一定量以下であるか否かを判定する。なお、当該判定は、制御手段５０のＰＭＵ５３により行われる。
制御手段５０は、太陽光発電部６０が発電しているか、又は分電盤２０で消費されている電力の電力量が一定量以下であると判定した場合には、ステップＳ１０５へ移行する。
制御手段５０は、太陽光発電部６０が発電しておらず、また分電盤２０で消費されている電力の電力量が一定量以下ではないと判定した場合には、ステップＳ１０７へ移行する。
【００７９】
ステップＳ１０５において、制御手段５０は、蓄電装置３０に充電された電力を放電させずに待機させる。すなわち、制御手段５０（より詳細には、制御手段５０のＰＭＵ５３）は、インバータ３３を作動させない。
制御手段５０は、ステップＳ１０５の処理を行った後、再びステップＳ１０１へ移行する。
【００８０】
ステップＳ１０７において、制御手段５０は、蓄電装置３０に充電された電力を放電させる。より詳細には、制御手段５０（より詳細には、制御手段５０のＰＭＵ５３）によりインバータ３３が作動され、蓄電池３２に充電された電力が放電されて分電盤２０に供給される。
制御手段５０は、ステップＳ１０７の処理を行った後、再びステップＳ１０１へ移行する。
【００８１】
ステップＳ１０２から移行したステップＳ１０６において、制御手段５０は、蓄電装置３０の充放電に関して待機指示を行う。なお、当該指示は、制御手段５０のＳＭＵ５２からＰＭＵ５３に対して行われる。
制御手段５０は、ステップＳ１０６の処理を行った後、再びステップＳ１０１へ移行する。
【００８２】
ステップＳ１０１から移行したステップＳ１０８において、制御手段５０は、蓄電装置３０の充放電に関して充電指示を行う。
制御手段５０は、ステップＳ１０８の処理を行った後、再びステップＳ１０１へ移行する。
【００８３】
次に、太陽光発電モードのうち、太陽光発電第二モードについて詳細に説明する。
【００８４】
太陽光発電第二モードとは、省エネ効果を得ることを目的として、分電盤２０と蓄電装置３０との電力のやり取りが設定されたものである。
【００８５】
より詳細には、図７に示すように、太陽光発電第二モードが選択された場合であって、太陽光発電部６０が発電し、かつ、太陽光発電部６０で発電されて分電盤２０に供給された電力に余剰が生じた場合には、充電器３１が作動され、当該余剰電力が商用電源１０へと逆潮流されずに蓄電池３２に供給されて当該蓄電池３２に充電される。
また、図８に示すように、太陽光発電第二モードが選択された場合であって、太陽光発電部６０が発電していない場合には、インバータ３３が作動され、蓄電池３２に充電された電力が放電されて分電盤２０に供給される。
【００８６】
これによって、太陽光発電第二モードが選択された場合には、太陽光発電部６０で発電された電力を商用電源１０に逆潮流させずに蓄電装置３０に充電し、必要に応じて（商用電源１０から供給される電力ではなく）当該充電された電力を住宅内で消費することができる。このように、太陽光発電第二モードが選択された場合には、省エネ効果を得ることができる。
【００８７】
以下では、太陽光発電第二モードが選択された場合の制御手段５０の制御態様について、図９のフローチャートを用いて説明する。
【００８８】
ステップＳ２０１において、制御手段５０は、太陽光発電部６０で発電された電力の電力量（発電量）が一定量以上であって蓄電装置３０が満充電でないか否かを判定する。なお、当該判定は、制御手段５０のＢＭＵ５１により取得された蓄電池３２の状態に関する信号に基づいてＳＭＵ５２により行われる。
制御手段５０は、太陽光発電部６０で発電された電力の電力量（発電量）が一定量以上であって蓄電装置３０が満充電ではないと判定した場合には、ステップＳ２０２へ移行する。
制御手段５０は、太陽光発電部６０で発電された電力の電力量（発電量）が一定量以上であって蓄電装置３０が満充電でないものではないと判定した場合には、ステップＳ２０８へ移行する。
【００８９】
ステップＳ２０２において、制御手段５０は、蓄電装置３０の充放電に関して充電指示を行う。
制御手段５０は、ステップＳ２０２の処理を行った後、ステップＳ２０３へ移行する。
【００９０】
ステップＳ２０３において、制御手段５０は、商用電源１０から供給される電力の電力量（買電量）が第一電力量以下であるか否かを判定する。なお、当該判定は、制御手段５０のＢＭＵ５１により取得された蓄電池３２の状態に関する信号に基づいてＳＭＵ５２により行われる。また、前記第一電力量とは、予め制御手段５０に設定されている一定の電力量である。
制御手段５０は、商用電源１０から供給される電力の電力量（買電量）が第一電力量以下であると判定した場合には、ステップＳ２０４へ移行する。
制御手段５０は、商用電源１０から供給される電力の電力量（買電量）が第一電力量以下ではないと判定した場合には、ステップＳ２０６へ移行する。
【００９１】
ステップＳ２０４において、制御手段５０は、蓄電装置３０に充電させる電力の電力量（充電電流）を増加させる。
制御手段５０は、ステップＳ２０４の処理を行った後、ステップＳ２０５へ移行する。
【００９２】
ステップＳ２０５において、制御手段５０は、蓄電装置３０が満充電であるか、又は蓄電装置３０に蓄電される電力の電力量（充電電流）が「０」（ゼロ）であるか否かを判定する。なお、当該判定は、制御手段５０のＢＭＵ５１により取得された蓄電池３２の状態に関する信号に基づいてＳＭＵ５２により行われる。
制御手段５０は、蓄電装置３０が満充電であるか、又は蓄電装置３０に蓄電される電力の電力量（充電電流）が「０」（ゼロ）であると判定した場合には、ステップＳ２０９へ移行する。
制御手段５０は、蓄電装置３０が満充電ではなく、また蓄電装置３０に蓄電される電力の電力量（充電電流）が「０」（ゼロ）ではないと判定した場合には、再びステップＳ２０１へ移行する。
【００９３】
ステップＳ２０９において、制御手段５０は、蓄電装置３０の充放電に関して待機指示を行う。なお、当該指示は、制御手段５０のＳＭＵ５２からＰＭＵ５３に対して行われる。
制御手段５０は、ステップＳ２０９の処理を行った後、再びステップＳ２０１へ移行する。
【００９４】
ステップＳ２０３から移行したステップＳ２０６において、制御手段５０は、商用電源１０から供給される電力の電力量（買電量）が第二電力量以上であるか否かを判定する。なお、当該判定は、制御手段５０のＢＭＵ５１により取得された蓄電池３２の状態に関する信号に基づいてＳＭＵ５２により行われる。なお、第二電力量とは、予め制御手段５０に設定されている一定の電力量であり、前記第一電力量よりも多くなるように設定される。
制御手段５０は、商用電源１０から供給される電力の電力量（買電量）が第二電力量以上であると判定した場合には、ステップＳ２１０へ移行する。
制御手段５０は、商用電源１０から供給される電力の電力量（買電量）が第二電力量以上ではないと判定した場合には、ステップＳ２０７へ移行する。
【００９５】
ステップＳ２０７において、制御手段５０は、蓄電装置３０に充電させる電力の電力量（充電電流）を減少させる。
制御手段５０は、ステップＳ２０７の処理を行った後、ステップＳ２０５へ移行する。
【００９６】
ステップＳ２０１から移行したステップＳ２０８において、制御手段５０は、蓄電装置３０に蓄電された電力の電力量（容量）が「０」（ゼロ）であるか否かを判定する。なお、当該判定は、制御手段５０のＢＭＵ５１により取得された蓄電池３２の状態に関する信号に基づいてＳＭＵ５２により行われる。
制御手段５０は、蓄電装置３０に蓄電された電力の電力量（容量）が「０」（ゼロ）であると判定した場合には、ステップＳ２０９へ移行する。
制御手段５０は、蓄電装置３０に蓄電された電力の電力量（容量）が「０」（ゼロ）ではないと判定した場合には、ステップＳ２１０へ移行する。
【００９７】
ステップＳ２１０において、制御手段５０は、蓄電装置３０の充放電に関して放電指示を行う。なお、当該指示は、制御手段５０のＳＭＵ５２からＰＭＵ５３に対して行われる。
制御手段５０は、ステップＳ２１０の処理を行った後、再びステップＳ２０１へ移行する。
【００９８】
次に、前述の如く設定されたノーマルモード及び太陽光発電モードの選択について説明する。
【００９９】
前述したように、分電盤２０と蓄電装置３０との電力のやり取りに関するモードの選択操作は、操作部４０を使用して管理者により行われる。より詳細には、前記モードの選択は、操作部４０のタッチパネル式の液晶ディスプレイ４１に表示される映像（すなわち、当該映像に表示される選択肢）を管理者がタッチ操作することによって行われる。
【０１００】
なお、制御手段５０の構成要素の一つである記憶部には、ノーマルモード及び太陽光発電モードの選択に関して複数の選択肢を階層化させた階層情報が記憶される。
以下の説明では、液晶ディスプレイ４１に表示される最初の映像、すなわちノーマルモード及び太陽光発電モードの選択に関する複数の選択肢のうち最初の選択肢が表示される映像を「第一階層」と称する。そして、選択肢がタッチ操作されるごとに更新され、次の選択肢が表示される映像を、順番に「第二階層」、「第三階層」、「第四階層」、「第五階層」と称する。
【０１０１】
以下では、図１０のフローチャートを用いて、ノーマルモード及び太陽光発電モードの選択操作について詳細に説明する。
【０１０２】
なお、ノーマルモード及び太陽光発電モードの選択操作は、本発明に係る電力供給システムを住宅に導入する施工業者や当該電力供給システムのメンテナンスを行うメンテナンス業者等の作業者である管理者のみによって行われる。すなわち、ノーマルモード及び太陽光発電モードの選択操作は、本発明に係る電力供給システムが導入される住宅の居住者によって行うことができない。ノーマルモード及び太陽光発電モードの選択操作は、例えば本発明に係る電力供給システムを住宅に導入する際の初期設定として行われる。
【０１０３】
ステップＳ３０１において、液晶ディスプレイ４１には、第一階層としてＴＯＰ画面が表示される。ＴＯＰ画面には、管理者のみが操作できる階層（メンテナンスモード画面）へと移行するための選択肢（メンテナンスモード移行ボタン４３）が表示される。そして、管理者がメンテナンスモード移行ボタン４３をタッチ操作することにより、液晶ディスプレイ４１に表示される映像は、第一階層から第二階層へと移行する。
【０１０４】
ステップＳ３０２において、液晶ディスプレイ４１には、第二階層としてパスワード入力画面が表示される。パスワード入力画面には、パスワードを入力するための選択肢（パスワード入力ボタン４４）が表示される。そして、管理者がパスワード入力ボタン４４をタッチ操作して必要なパスワードを入力することにより、液晶ディスプレイ４１に表示される映像は、第二階層から第三階層へと移行する。
【０１０５】
なお、前記パスワードは、管理者のみにより管理（認識）されているものである。したがって、ステップＳ３０２以降のステップ、すなわち第二階層としてのパスワード入力画面以降の画面には、管理者以外の者、例えば電力供給システム１００（又は、電力供給システム２００）が導入される住宅の居住者の操作によって移行することができないように構成される。
【０１０６】
ステップＳ３０３において、液晶ディスプレイ４１には、第三階層としてメンテナンスモード画面が表示される。メンテナンスモード画面には、管理者が電力供給システム１００（又は、電力供給システム２００）が正常な状態で運転されるよう点検や整備（すなわち、メンテナンス）するための各種の選択肢が表示される。そして、メンテナンスモード画面には、前記各種の選択肢のうちの一つの選択肢として、ノーマルモード及び太陽光発電モードの選択を開始するための選択肢（モード選択開始ボタン４５）が表示される。そして、管理者がモード選択開始ボタン４５をタッチ操作することにより、液晶ディスプレイ４１に表示される映像は、第三階層から第四階層へと移行する。
【０１０７】
ステップＳ３０４において、液晶ディスプレイ４１には、第四階層としてモード選択画面が表示される。モード選択画面には、太陽光発電部６０を有するか否かを選択するための選択肢（太陽光発電部確認ボタン４６）が表示される。そして、管理者が太陽光発電部確認ボタン４６をタッチ操作することにより、液晶ディスプレイ４１に表示される映像は、第四階層から第五階層へと移行する。
【０１０８】
なお、太陽光発電部確認ボタン４６により太陽光発電部６０を有さない旨がタッチ操作されると、ノーマルモード及び太陽光発電モードのうちノーマルモードが選択されることになる。一方、太陽光発電部確認ボタン４６により太陽光発電部６０を有する旨がタッチ操作されると、ノーマルモード及び太陽光発電モードのうち太陽光発電モードが選択されることになる。すなわち、太陽光発電部確認ボタン４６のタッチ操作により、ノーマルモード及び太陽光発電モードの選択が行われる。
【０１０９】
そして、ステップＳ３０４において、ノーマルモード及び太陽光発電モードのうちノーマルモードが選択されると、次にステップＳ３０６へ移行する。また、ステップＳ３０４において、ノーマルモード及び太陽光発電モードのうち太陽光発電モードが選択されると、次にステップＳ３０５へ移行する。
【０１１０】
ステップＳ３０５において、液晶ディスプレイ４１には、第五階層として「第三モード（太陽光発電第一モード）」ｏｒ「第四モード（太陽光発電第二モード）」選択画面が表示される。「太陽光発電第一モード」ｏｒ「太陽光発電第二モード」選択画面には、太陽光発電第一モード又は太陽光発電第二モードを選択するための選択肢（太陽光発電第一モード選択ボタン４７及び太陽光発電第二モード選択ボタン４８）が表示される。そして、管理者が任意のボタンをタッチ操作することにより、太陽光発電第一モード又は太陽光発電第二モードが選択される。
【０１１１】
ステップＳ３０６において、液晶ディスプレイ４１には、第五階層として「第一モード（ノーマルモード）」選択画面が表示される。「ノーマルモード」選択画面には、ノーマルモードを選択する（最終確定する）ための選択肢（ノーマルモード選択ボタン４９）が表示される。そして、管理者がノーマルモード選択ボタン４９をタッチ操作することにより、ノーマルモードが選択（確定）される。
【０１１２】
このように、ノーマルモード及び太陽光発電モードの選択（操作）は、複数の選択肢を上位から下位の階層に移行させていくことにより行われるものである。すなわち、管理者は、操作部４０のタッチパネル式の液晶ディスプレイ４１に表示される映像に従って順番にタッチ操作すればよく、ノーマルモード及び太陽光発電モードの選択を行い易くすることができる。
【０１１３】
また、本発明に係る電力供給システムは、分電盤２０と蓄電装置３０との電力のやり取りに関して、太陽光発電部６０の有無に応じて二つのモード（ノーマルモード及び太陽光発電モード）を有するものである。そして、ノーマルモード及び太陽光発電モードの選択は、居住者では行えず、管理者のみが行えるように構成される。すなわち、管理者がノーマルモード及び太陽光発電モードの選択を行えば、後から居住者により勝手に変更されることがないため、電力供給システムにおいて、二つのモードのうち、どちらのモードが実行されているのかを（例えば、電力会社が）区別することができる。
【０１１４】
したがって、例えば「電力供給システムが、分電盤と蓄電装置との電力のやり取りに関して、太陽光発電部の有無に応じた二つのモードを有するものである場合に、どちらのモードが実行されているのかを区別できなければ、電力の買取価格は安くなる」という規定がある場合に、本発明に係る電力供給システムにおいては、管理者が予め選択し、居住者によって勝手に変更されることがないので、電力会社に選択内容を通知しておけばどのモードが選択されたのかを区別可能であり、当該規定に該当することにならないため、電力の買取価格（売電価格）は安くならず、経済的な利益を得ることができる。
【０１１５】
なお、制御手段５０に記憶された階層情報は、本発明に係る「階層情報」の一実施形態である。
【０１１６】
また、本実施形態では、第五階層にて管理者により太陽光発電第一モード及び太陽光発電第二モードが選択される構成としたが、これに限定するものではない。すなわち、ノーマルモード及び太陽光発電モードの選択が管理者により行われた後であれば、「太陽光発電第一モード」ｏｒ「太陽光発電第二モード」選択画面を第一階層に表示してもよい。このような構成によって、太陽光発電モードが管理者により選択された後には、居住者が省エネ効果を得たいのか、又は省エネ効果が得たいのかの目的に応じて太陽光発電第一モード又は太陽光発電第二モードを選択することができる。
【０１１７】
また、第四階層から第五階層への移行は、太陽光発電部６０の接続を検知し、その検知結果に応じて“太陽光パネルが接続されてます”というような太陽光発電部６０が有ることを示す旨の表示、あるいは“太陽光パネルは接続されていません”というような太陽光発電部６０がない旨を示す表示をする構成としてもよい。この場合は、その表示を確認の上で、これら表示とともに表示される確認ボタンをタッチ操作することで第五階層（太陽光発電部６０が有る場合は図１０に示すステップＳ３０５、ない場合は図１０に示すステップＳ３０６）へ移行するものとすればよい。このようにした場合、例えば、太陽光発電部６０を有さないにもかかわらず太陽光発電部確認ボタン４６で太陽光発電部６０を有する旨がタッチ操作されるようなことや、太陽光発電部６０を有するにもかかわらず太陽光発電部確認ボタン４６で太陽光発電部６０を有さない旨がタッチ操作されるようなことを防ぐことができる。
【０１１８】
また、第二階層としてパスワードを入力するものとしているが、このパスワードは予め決められた桁数の数字や文字あるいはそれらの組合せに限らない。 例えば、パスワード入力画面にはパスワードを入力するための選択肢であるパスワード入力ボタン４４は１つだけ表示し、所定の時間内にそのボタンを押した数をパスワードとしてもよい。その際、所定時間経って所定の入力がなされなかった場合は通常動作時に表示される表示画面に戻るようにしておけばよい。このようにすれば、居住者がパスワード入力画面に移行できたとしても、その画面上には０〜９の数字ボタンのようなパスワード入力と思われるようなものが表示されないため、居住者にパスワード入力するような行動を起こすことが抑制でき、居住者がモード選択の画面に入ることをより抑制できる。
【０１１９】
以上のように、本発明に係る電力供給システムは、
分電盤２０と接続され、前記分電盤２０と電力のやり取りが可能であって充放電可能な蓄電装置３０と、
前記分電盤２０と前記蓄電装置３０との電力のやり取りを制御する制御手段５０と、
を具備する電力供給システムであって、
前記制御手段５０は、前記分電盤２０と前記蓄電装置３０との電力のやり取りに関するノーマルモード及び太陽光発電モードを択一的に実行可能であり、
前記ノーマルモード及び前記太陽光発電モードの選択は、太陽光を受けて発電可能な太陽光発電部６０の有無に応じて、前記電力供給システムを導入する建築物の居住者以外の管理者により行われるものである。
【０１２０】
このような構成により、分電盤２０と蓄電装置３０との電力のやり取りに関して、太陽光発電部６０の有無に応じた二つのモード（ノーマルモード及び太陽光発電モード）を有し、例えば「電力供給システムが、分電盤と蓄電装置との電力のやり取りに関して、太陽光発電部の有無に応じた二つのモードを有するものである場合に、どちらのモードが実行されているのかを区別できなければ、電力の買取価格は安くなる」という規定がある場合に、前記二つのモードのうち太陽光発電部が有る場合に選択される一のモード（太陽光発電モードのうち、太陽光発電第一モード）を実行して当該太陽光発電部６０で発電された電力を売電しても、管理者が予め選択し、居住者によって勝手に変更されることがないので、電力会社に選択内容を通知しておけば区別可能であり前記規定に該当することにならないため、電力の買取価格（売電価格）は安くならず、経済的な利益を得ることができる。
【０１２１】
また、本発明に係る電力供給システムにおいて、
前記太陽光発電部６０を有する場合に選択される太陽光発電モードは、太陽光発電第一モードを含み、
前記太陽光発電第一モードが選択された場合には、
前記太陽光発電部６０が発電し、かつ、前記太陽光発電部６０からの電力が前記商用電源１０へと逆潮流している場合には、前記蓄電装置３０から前記分電盤２０への電力の放電を不可能とするものである。
【０１２２】
このような構成により、本発明に係る電力供給システムにおいては、居住者に金銭的な利益を与えることができる。
【０１２３】
また、本発明に係る電力供給システムにおいて、
前記太陽光発電部６０を有する場合に選択される太陽光発電モードは、太陽光発電第二モードを含み、
前記太陽光発電第二モードが選択された場合には、
前記太陽光発電部６０が発電し、かつ、前記太陽光発電部６０から前記分電盤２０に供給した電力に余剰が生じた場合には、前記余剰電力を前記商用電源１０へと逆潮流させずに前記蓄電装置３０に充電し、
前記太陽光発電部６０が発電していない場合には、前記蓄電装置３０から前記分電盤２０に電力を放電するものである。
【０１２４】
このような構成により、本発明に係る電力供給システムにおいては、省エネ効果を得ることができる。
【０１２５】
また、本発明に係る電力供給システムにおいて、
前記太陽光発電第一モード及び前記太陽光発電第二モードは、前記居住者が選択可能であるものである。
【０１２６】
このような構成により、本発明に係る電力供給システムにおいては、太陽光発電第一モード及び太陽光発電第二モードを居住者が選択することができる。
【０１２７】
また、本発明に係る電力供給システムにおいて、
前記制御手段５０は、前記ノーマルモード及び前記太陽光発電モードの選択に関して複数の選択肢を階層化させた階層情報を有し、
前記ノーマルモード及び前記太陽光発電モードの選択は、前記複数の選択肢を上位から下位の階層に移行させていくことにより行われるものである。
【０１２８】
このような構成により、本発明に係る電力供給システムにおいては、ノーマルモード及び太陽光発電モードの選択を行い易くすることができる。
【０１２９】
なお、本実施形態におけるノーマルモード、太陽光発電モード、太陽光発電第一モード、太陽光発電第二モードは、それぞれ本発明に係る「第一モード」、「第二モード」、「第三モード」、「第四モード」の一実施形態である。
また、本実施形態における住宅は、本発明に係る「建築物」の一実施形態である。
【０１３０】
以下では、図１１を用いて、本発明の第三実施形態に係る電力供給システム３００の構成について説明する。
【０１３１】
電力供給システム３００は、住宅に設けられ、商用電源１０からの電力を負荷へと供給するものである。電力供給システム３００は、主として燃料電池７０、太陽光発電部６０、分電盤２０、蓄電装置３０、操作部４０、制御手段５０、を具備する。
【０１３２】
なお、本発明の第三実施形態に係る電力供給システム３００の構成において、本発明の第二実施形態に係る電力供給システム２００の構成と異なる点は、燃料電池７０を具備する点である。以下では、電力供給システム３００の構成において、電力供給システム２００の構成と異なる点について説明し、当該電力供給システム２００の構成と同一である点については、その説明を省略する。
【０１３３】
燃料電池７０は、固体酸化物形燃料電池（ＳＯＦＣ  ：  Ｓｏｌｉｄ  Ｏｘｉｄｅ  Ｆｕｅｌ  Ｃｅｌｌ）等により構成され、住宅に設置される燃料電池である。燃料電池７０は、供給される燃料（例えば、水素等）を用いて発電することができる。また、燃料電池７０は図示せぬ貯湯ユニットを備え、発電時に発生する熱を用いて当該貯湯ユニット内で湯を沸かすことができる。燃料電池７０で発電された電力は、分電盤２０に供給される。
【０１３４】
分電盤２０は、電力の入力側に太陽光発電部６０と商用電源１０と燃料電池７０とが接続され、電力の出力側に複数の負荷（不図示）及び蓄電装置３０が接続される。
【０１３５】
制御手段５０は、図示せぬセンサ等を介して燃料電池７０で発電された電力の電力量に関する信号を受信することができる。
【０１３６】
次に、電力供給システム３００における電力の供給態様のうち、分電盤２０と蓄電装置３０との電力のやり取りについて説明する。
【０１３７】
なお、電力供給システム３００においては、前記複数のモードのうち、燃料電池モードが選択される。
燃料電池モードは、燃料電池７０が電力供給システムに有る場合に選択されるモードである。
【０１３８】
なお、燃料電池モードとして、燃料電池第一モード及び燃料電池第二モードという二つのモードが予め設定される。なお、燃料電池第一モード及び燃料電池第二モードに関する情報は、例えば制御手段５０の構成要素の一つである図示せぬ記憶部に格納される。
【０１３９】
まず、燃料電池モードのうち、燃料電池第一モードについて詳細に説明する。
【０１４０】
燃料電池第一モードとは、太陽光発電部６０で発電した電力を売電する（商用電源１０へと逆潮流させる）ことを（金銭的な利益を得ることを）目的として、分電盤２０と蓄電装置３０との電力のやり取りが設定されたものである。
【０１４１】
より詳細には、燃料電池第一モードが選択された場合、燃料電池７０からの電力が他の機器からの電力より優先的に分電盤２０に供給される状態となる。そして、燃料電池７０及び太陽光発電部６０からの電力が分電盤２０に供給されて太陽光発電部６０の余剰電力が商用電源１０へと逆潮流している場合には、蓄電装置３０を放電して分電盤２０に電力を供給する。こうして、燃料電池７０からの電力と蓄電装置３０からの電力を優先して分電盤２０を介して住宅内で消費するようにし、住宅内で消費する太陽光発電６０からの電力を無くすあるいは減らすようにする。これによって、太陽光発電部６０の余剰電力の電力量を増やして商用電源１０に逆潮流させることができる。
【０１４２】
以下では、燃料電池第一モードが選択された場合の制御手段５０の制御態様について、図１２のフローチャートを用いて説明する。
【０１４３】
ステップＳ４０１において、制御手段５０は、現在の時間が予め設定された充電時間であるか否かを判定する。なお、当該判定は、制御手段５０のＳＭＵ５２により当該ＳＭＵ５２が有するタイマ（不図示）を使用して行われる。なお、予め設定された充電時間とは、商用電源１０から供給される電力が比較的料金の安い深夜電力となる深夜の時間帯が想定される。
制御手段５０は、現在の時間が予め設定された充電時間であると判定した場合には、ステップＳ４０９へ移行する。
制御手段５０は、現在の時間が予め設定された充電時間でないと判定した場合には、ステップＳ４０２へ移行する。
【０１４４】
ステップＳ４０２において、制御手段５０は、蓄電装置３０に電力（容量）が残存しているか否かを判定する。なお、当該判定は、制御手段５０のＢＭＵ５１により取得された蓄電池３２の状態に関する信号に基づいてＳＭＵ５２により行われる。
制御手段５０は、蓄電装置３０に電力が残存していると判定した場合には、ステップＳ４０３へ移行する。
制御手段５０は、蓄電装置３０に電力が残存していないと判定した場合には、ステップＳ４０５へ移行する。
【０１４５】
ステップＳ４０５において、制御手段５０は、蓄電装置３０の充放電に関して待機指示を行う。なお、当該指示は、制御手段５０のＳＭＵ５２からＰＭＵ５３に対して行われる。
制御手段５０は、ステップＳ４０５の処理を行った後、再びステップＳ４０１へ移行する。
【０１４６】
ステップＳ４０３において、制御手段５０は、太陽光発電部６０が発電しているか、又は分電盤２０を介して住宅で消費されている電力の電力量が所定量以下であるか否かを判定する。なお、当該判定は、制御手段５０のＰＭＵ５３により行われる。
制御手段５０は、太陽光発電部６０が発電しているか、又は分電盤２０を介して住宅で消費されている電力の電力量が所定量以下であると判定した場合には、ステップＳ４０４へ移行する。
制御手段５０は、太陽光発電部６０が発電しておらず、また分電盤２０を介して住宅で消費されている電力の電力量が所定量以下ではないと判定した場合には、ステップＳ４０６へ移行する。
【０１４７】
ステップＳ４０４において、制御手段５０は、蓄電装置３０に充電された電力を放電させずに待機させる。すなわち、制御手段５０（より詳細には、制御手段５０のＰＭＵ５３）は、インバータ３３を作動させない。
制御手段５０は、ステップＳ４０４の処理を行った後、再びステップＳ４０１へ移行する。
【０１４８】
ステップＳ４０６において、制御手段５０は、燃料電池７０で発電された電力の電力量が最大発電量であるか否か（燃料電池７０の発電出力が最大出力であるか否か）を判定する。なお、本実施形態においては、燃料電池７０の最大発電量は７００Ｗとなるように設定される。
制御手段５０は、燃料電池７０で発電された電力の電力量が最大発電量であると判定した場合には、ステップＳ４０７へ移行する。
制御手段５０は、燃料電池７０で発電された電力の電力量が最大発電量でないと判定した場合には、ステップＳ４０８へ移行する。
【０１４９】
ステップＳ４０７において、制御手段５０は、蓄電装置３０の充放電に関して放電指示を行う。なお、当該指示は、制御手段５０のＳＭＵ５２からＰＭＵ５３に対して行われる。
制御手段５０は、ステップＳ４０７の処理を行った後、再びステップＳ４０１へ移行する。蓄電装置３０から放電をすることで、太陽光発電部６０の発電がある場合における住宅内での消費電力は、燃料電池７０からの電力と蓄電装置３０からの放電による電力とを優先して用いる。このため、住宅内での消費電力として太陽光発電部６０からの電力を用いずに済む、あるいは、用いたとしても小さくすることができるので、太陽光発電部６０からの電力の余剰分を増やすことができる。また、太陽光発電部６０での発電がなく消費電力が所定量より多い場合においては、燃料電池７０の最大出力でも足りない分を蓄電装置３０からの放電でまかなうことができる。
【０１５０】
ステップＳ４０８において、制御手段５０は、燃料電池７０の発電出力を最大出力とするために蓄電装置３０の充放電に関して充電指示を行う。この充電指示に基づき、蓄電装置３０の充電に必要な電力を確保するため燃料電池７０の発電出力が最大出力となる。
制御手段５０は、ステップＳ４０８の処理を行った後、再びステップＳ４０１へ移行する。
制御手段５０は、ステップＳ４０８の処理を行った後、再びステップＳ４０１へ移行する。
【０１５１】
ステップＳ４０１から移行したステップＳ４０９において、制御手段５０は、蓄電装置３０の充放電に関して充電指示を行う。
制御手段５０は、ステップＳ４０９の処理を行った後、再びステップＳ４０１へ移行する。
【０１５２】
このような構成により、燃料電池第一モードが選択された場合には、ステップＳ５０２に示したように、太陽光発電部６０で発電された電力を商用電源１０へと逆潮流させて、金銭的な利益を得ることができる。
【０１５３】
次に、燃料電池モードのうち、燃料電池第二モードについて詳細に説明する。
【０１５４】
燃料電池第二モードとは、太陽光発電部６０で発電された電力を蓄電装置３０に充電しておき、必要に応じて当該充電した電力を住宅内で消費すること（省エネ効果を得ること）を目的として、分電盤２０と蓄電装置３０との電力のやり取りが設定されたものである。
【０１５５】
より詳細には、燃料電池第二モードが選択された場合、燃料電池７０からの電力が他の機器からの電力より優先的に分電盤２０に供給される状態となる。そして、商用電源１０及び燃料電池７０からの電力を分電盤２０に供給している場合には、商用電源１０及び燃料電池７０から分電盤２０に供給する電力の電力量を、少なくても燃料電池７０の最大発電量（７００Ｗ）よりも多い電力量として設定される第一電力量（８００Ｗ）とする。
【０１５６】
なお、燃料電池第一モードが選択された場合の制御手段５０の制御態様においては、ステップＳ４０１における制御手段５０の処理の前に、後述するステップＳ５０１からステップＳ５０３までの処理と同一の処理が行われる。すなわち、制御手段５０は、後述するステップＳ５０２又はＳ５０３の処理が行われた後にステップＳ４０１へ移行する。
【０１５７】
以下では、燃料電池第二モードが選択された場合の制御手段５０の制御態様について、図１３のフローチャートを用いて説明する。
【０１５８】
ステップＳ５０１において、制御手段５０は、燃料電池７０が発電中であるか否かを判定する。
制御手段５０は、燃料電池７０が発電中であると判定した場合には、ステップＳ５０２へ移行する。
制御手段５０は、燃料電池７０が発電中でないと判定した場合には、ステップＳ５０３へ移行する。
【０１５９】
ステップＳ５０２において、制御手段５０は、商用電源１０・太陽光発電部６０・燃料電池７０側から分電盤２０に供給される電力（入力電力）の電力量を、予め設定された第一電力量とする。なお、本実施形態において、第一電力量は、８００Ｗであるとする。このように、第一電力量は、少なくても燃料電池７０の最大発電量（７００Ｗ）よりも多い電力量として設定される。８００Ｗとしての第一電力量は、本発明に係る「第一電力量」の一実施形態である。
制御手段５０は、ステップＳ５０２の処理を行った後、ステップＳ５０４へ移行する。
【０１６０】
ステップＳ５０３において、制御手段５０は、商用電源１０・太陽光発電部６０・燃料電池７０側から分電盤２０に供給される電力（入力電力）の電力量を、予め設定された第二電力量とする。なお、本実施形態において、第二電力量は、１５０Ｗであるとする。このように、第二電力量は、０以上であって比較的少ない電力量となるように設定される。
制御手段５０は、ステップＳ５０３の処理を行った後、ステップＳ５０４へ移行する。
【０１６１】
なお、ステップＳ５０３において、入力電力の電力量を第二電力量（１５０Ｗ）としたことにより、発電していない燃料電池７０に代わって分電盤２０を介して住宅内で消費する電力として蓄電装置３０が放電する際に、商用電源１０・太陽光発電部６０・燃料電池７０側から分電盤２０に電力が供給されている状態となる。これにより、蓄電装置３０から放電された電力が、商用電源１０に逆潮流することを防止することができる。また、第二電力量を比較的小さく設定しておくことで、第二電力量分が全て商用電源１０からのものであっても買電電力の量を抑えることができる。
【０１６２】
ステップＳ５０４において、制御手段５０は、蓄電装置３０の充放電に関して充電指示を行う。
制御手段５０は、ステップＳ５０４の処理を行った後、ステップＳ５０５へ移行する。
【０１６３】
ステップＳ５０５において、制御手段５０は買電の電力量が予め設定された第三電力量となるように、蓄電装置３０の充電を開始する。なお、本実施形態において、第三電力量は、１００Ｗであるとする。このように、第三電力量は、０以上であって比較的少ない電力量となるように設定される。
制御手段５０は、ステップＳ５０５の処理を行った後、ステップＳ５０６へ移行する。
【０１６４】
ステップＳ５０６において、制御手段５０は、商用電源１０から供給される電力の電力量（買電量）が第三電力量（１００Ｗ）より少ないか否かを判定する。なお、当該判定は、制御手段５０のＢＭＵ５１により取得された蓄電池３２の状態に関する信号に基づいてＳＭＵ５２により行われる。
制御手段５０は、商用電源１０から供給される電力の電力量（買電量）が第三電力量（１００Ｗ）より少ないと判定した場合には、ステップＳ５０７へ移行する。
制御手段５０は、商用電源１０から供給される電力の電力量（買電量）が第三電力量（１００Ｗ）より少なくないと判定した場合には、ステップＳ５０８へ移行する。
【０１６５】
ステップＳ５０７において、制御手段５０は、蓄電装置３０に充電させる電力の電力量（充電電流）を増加させる。
制御手段５０は、ステップＳ５０７の処理を行った後、ステップＳ５１０へ移行する。
【０１６６】
ステップＳ５０８において、制御手段５０は、商用電源１０から供給される電力の電力量（買電量）が予め設定された第四電力量以上であるか否かを判定する。なお、当該判定は、制御手段５０のＢＭＵ５１により取得された蓄電池３２の状態に関する信号に基づいてＳＭＵ５２により行われる。また、本実施形態において、第四電力量とは、１０００Ｗであるとする。このように、第四電力量は、前述した第三電力量（１００Ｗ）よりも比較的多い電力量となるように設定される。
制御手段５０は、商用電源１０から供給される電力の電力量（買電量）が予め設定された第四電力量（１０００Ｗ）以上であると判定した場合には、ステップＳ５１２へ移行する。
制御手段５０は、商用電源１０から供給される電力の電力量（買電量）が予め設定された第四電力量（１０００Ｗ）以上でないと判定した場合には、ステップＳ５０９へ移行する。
【０１６７】
ステップＳ５０９において、制御手段５０は、蓄電装置３０に充電させる電力の電力量（充電電流）を減少させる。このように、買電の電力量が所定の電力量以上になった場合には、買電量を減らすために蓄電装置３０から電力を放電をするように設定される。
制御手段５０は、ステップＳ５０９の処理を行った後、ステップＳ５１０へ移行する。
【０１６８】
ステップＳ５１０において、制御手段５０は、蓄電装置３０が満充電であるか、又は蓄電装置３０に蓄電される電力の電力量（充電電流）が「０」（ゼロ）であるか否かを判定する。なお、当該判定は、制御手段５０のＢＭＵ５１により取得された蓄電池３２の状態に関する信号に基づいてＳＭＵ５２により行われる。
制御手段５０は、蓄電装置３０が満充電であるか、又は蓄電装置３０に蓄電される電力の電力量（充電電流）が「０」（ゼロ）であると判定した場合には、ステップＳ５１１へ移行する。
制御手段５０は、蓄電装置３０が満充電ではなく、また蓄電装置３０に蓄電される電力の電力量（充電電流）が「０」（ゼロ）ではないと判定した場合には、再びステップＳ５０１へ移行する。
【０１６９】
ステップＳ５１１において、制御手段５０は、蓄電装置３０の充放電に関して待機指示を行う。なお、当該指示は、制御手段５０のＳＭＵ５２からＰＭＵ５３に対して行われる。
制御手段５０は、ステップＳ５１１の処理を行った後、再びステップＳ５０１へ移行する。
【０１７０】
ステップＳ５０８から移行したステップＳ５１２において、制御手段５０は、蓄電装置３０に蓄電された電力の電力量（容量）が規定値以下であるか否かを判定する。なお、当該判定は、制御手段５０のＢＭＵ５１により取得された蓄電池３２の状態に関する信号に基づいてＳＭＵ５２により行われる。また、規定値とは、予め設定された一定量の電力量を指すものであり、蓄電装置３０の放電可能な蓄電量の閾値（以下、放電可能閾値とも称する）として設定される。
制御手段５０は、蓄電装置３０に蓄電された電力の電力量（容量）が前記規定値以下であると判定した場合には、ステップＳ５１１へ移行する。
制御手段５０は、蓄電装置３０に蓄電された電力の電力量（容量）が前記規定値以下でないと判定した場合には、ステップＳ５１３へ移行する。
【０１７１】
ステップＳ５１３において、制御手段５０は、蓄電装置３０の充放電に関して放電指示を行う。なお、当該指示は、制御手段５０のＳＭＵ５２からＰＭＵ５３に対して行われる。
制御手段５０は、ステップＳ５１３の処理を行った後、再びステップＳ５０１へ移行する。
【０１７２】
なお、ステップＳ５１３における蓄電装置３０の充放電に関しての放電指示は、ステップＳ５０８において商用電源１０からの買電の電力量が第四電力量（１０００Ｗ）以上である場合に行われる。ここで、第四電力量としての１０００Ｗは、蓄電装置３０の放電可能閾値（本実施形態においては、５００Ｗ）に基づいて、当該放電可能閾値よりも多い電力量として設定される。これにより、蓄電装置３０はある程度の電力量の買電が無ければ放電することができず、放電と当該放電の停止とが繰り返されることを防止することができる。
【０１７３】
このような構成により、ステップＳ５０２に示したように、分電盤２０に供給される電力量を燃料電池７０の最大電力量より多い電力量に設定することにより、燃料電池７０が発電する電力の電力量を最大発電量（７００Ｗ）とすることができ、当該燃料電池７０が最大発電量の一部しか発電することができない状況となることを防止することができる。こうして、燃料電池第二モードが選択された場合には、買電電力の量を抑えつつ主に余剰電力を蓄電装置３０に充電しておき、必要に応じて当該充電した電力を住宅内で消費して、省エネ効果を得ることができる。
【０１７４】
次に、前述の如く設定されたノーマルモードと、太陽光発電モードと、燃料電池モードと、のモードの選択について説明する。
【０１７５】
前述したように、分電盤２０と蓄電装置３０との電力のやり取りに関するモードの選択操作は、操作部４０を使用して管理者により行われる。より詳細には、前記モードの選択は、操作部４０のタッチパネル式の液晶ディスプレイ４１に表示される映像（すなわち、当該映像に表示される選択肢）を管理者がタッチ操作することによって行われる。
【０１７６】
なお、制御手段５０の構成要素の一つである記憶部には、ノーマルモードと、太陽光発電モードと、燃料電池モードと、のモードの選択に関して複数の選択肢を階層化させた階層情報が記憶される。
以下の説明では、液晶ディスプレイ４１に表示される最初の映像、すなわちノーマルモードと、太陽光発電モードと、燃料電池モードと、の選択に関する複数の選択肢のうち最初の選択肢が表示される映像を「第一階層」と称する。そして、選択肢がタッチ操作されるごとに更新され、次の選択肢が表示される映像を、順番に「第二階層」、「第三階層」、「第四階層」、「第五階層」、「第六階層」と称する。
【０１７７】
以下では、図１４及び図１５のフローチャートを用いて、ノーマルモードと、太陽光発電モードと、燃料電池モードと、のモードの選択操作について詳細に説明する。
【０１７８】
なお、モードの選択操作は、本発明に係る電力供給システムを住宅に導入する施工業者や当該電力供給システムのメンテナンスを行うメンテナンス業者等の作業者である管理者のみによって行われる。すなわち、モードの選択操作は、本発明に係る電力供給システムが導入される住宅の居住者によって行うことができない。モードの選択操作は、例えば本発明に係る電力供給システムを住宅に導入する際の初期設定として行われる。
【０１７９】
ステップＳ６０１において、液晶ディスプレイ４１には、第一階層としてＴＯＰ画面が表示される。ＴＯＰ画面には、管理者のみが操作できる階層（メンテナンスモード画面）へと移行するための選択肢（メンテナンスモード移行ボタン４３）が表示される。そして、管理者がメンテナンスモード移行ボタン４３をタッチ操作することにより、液晶ディスプレイ４１に表示される映像は、第一階層から第二階層へと移行する。
【０１８０】
ステップＳ６０２において、液晶ディスプレイ４１には、第二階層としてパスワード入力画面が表示される。パスワード入力画面には、パスワードを入力するための選択肢（パスワード入力ボタン４４）が表示される。そして、管理者がパスワード入力ボタン４４をタッチ操作して必要なパスワードを入力することにより、液晶ディスプレイ４１に表示される映像は、第二階層から第三階層へと移行する。
【０１８１】
なお、前記パスワードは、管理者のみにより管理（認識）されているものである。したがって、ステップＳ６０２以降のステップ、すなわち第二階層としてのパスワード入力画面以降の画面には、管理者以外の者、例えば電力供給システム３００（又は、電力供給システム１００・２００）が導入される住宅の居住者の操作によって移行することができないように構成される。
【０１８２】
ステップＳ６０３において、液晶ディスプレイ４１には、第三階層としてメンテナンスモード画面が表示される。メンテナンスモード画面には、管理者が電力供給システム３００（又は、電力供給システム１００・２００）が正常な状態で運転されるよう点検や整備（すなわち、メンテナンス）するための各種の選択肢が表示される。そして、メンテナンスモード画面には、前記各種の選択肢のうちの一つの選択肢として、モードの選択を開始するための選択肢（モード選択開始ボタン４５）が表示される。そして、管理者がモード選択開始ボタン４５をタッチ操作することにより、液晶ディスプレイ４１に表示される映像は、第三階層から第四階層へと移行する。
【０１８３】
ステップＳ６０４において、液晶ディスプレイ４１には、第四階層として（第一の）モード選択画面が表示される。第一のモード選択画面には、太陽光発電部６０及び燃料電池７０を有さない場合に選択するための選択肢（ノーマルモード選択ボタン８１）と、太陽光発電部６０を有して燃料電池７０を有さない場合に選択するための選択肢（太陽光発電モード選択ボタン８２）と、太陽光発電部６０及び燃料電池７０を有する場合に選択するための選択肢（燃料電池モード選択ボタン８３）と、が表示される。そして、管理者がノーマルモード選択ボタン８１と太陽光発電モード選択ボタン８２と燃料電池モード選択ボタン８３とのうち何れかのボタンをタッチ操作することにより、液晶ディスプレイ４１に表示される映像は、第四階層から第五階層へと移行する。
【０１８４】
なお、ノーマルモード選択ボタン８１がタッチ操作されると、ノーマルモードと太陽光発電モードと燃料電池モードとのうち、ノーマルモードが選択される。また、太陽光発電モード選択ボタン８２がタッチ操作されると、ノーマルモードと太陽光発電モードと燃料電池モードとのうち、太陽光発電モードが選択される。また、燃料電池モード選択ボタン８３がタッチ操作されると、ノーマルモードと太陽光発電モードと燃料電池モードとのうち、燃料電池モードが選択される。
【０１８５】
ステップＳ６０５において、液晶ディスプレイ４１には、第五階層として（第二の）モード選択画面が表示される。
【０１８６】
より詳細には、第四階層にて太陽光発電モード選択ボタン８２をタッチ操作した場合に、第二のモード選択画面において、太陽光発電モード（第二モード）のうち太陽光発電第一モード（第三モード）を選択する選択肢（太陽光発電第一モード選択ボタン８４）と、太陽光発電第二モード（第四モード）を選択する選択肢（太陽光発電第二モード選択ボタン８５）と、が表示される。そして、管理者が太陽光発電第一モード選択ボタン８４と太陽光発電第二モード選択ボタン８５とのうち何れかのボタンをタッチ操作することにより、液晶ディスプレイ４１に表示される映像は、第五階層から第六階層へと移行する。
【０１８７】
なお、太陽光発電第一モードがタッチ操作されると、太陽光発電第一モードと太陽光発電第二モードとのうち、太陽光発電第一モードが選択される。また、太陽光発電第二モードがタッチ操作されると、太陽光発電第一モードと太陽光発電第二モードとのうち、太陽光発電第二モードが選択される。
【０１８８】
また、第四階層にて燃料電池モード選択ボタン８３をタッチ操作した場合に、第二のモード選択画面において、燃料電池モード（第五モード）のうち燃料電池第一モード（第六モード）を選択する選択肢（燃料電池第一モード選択ボタン８６）と、燃料電池第二モード（第七モード）を選択する選択肢（燃料電池第二モード選択ボタン８７）と、が表示される。そして、管理者が燃料電池第一モード選択ボタン８６と燃料電池第二モード選択ボタン８７とのうち何れかのボタンをタッチ操作することにより、液晶ディスプレイ４１に表示される映像は、第五階層から第六階層へと移行する。
【０１８９】
なお、燃料電池第一モードがタッチ操作されると、燃料電池第一モードと燃料電池第二モードとのうち、燃料電池第一モードが選択される。また、燃料電池第二モードがタッチ操作されると、燃料電池第一モードと燃料電池第二モードとのうち、燃料電池第二モードが選択される。
【０１９０】
また、第四階層にて、ノーマルモード選択ボタン８１をタッチ操作した場合には、第五階層においては選択肢（ボタン）は表示されずに第六階層へと移行する。
【０１９１】
ステップＳ６０６において、液晶ディスプレイ４１には、第六階層としてモード確定画面が表示される。
【０１９２】
より詳細には、第四階層にてノーマルモード選択ボタン８１をタッチ操作した場合に、モード確定画面において当該タッチ操作により選択されたモード（すなわち、ノーマルモード（第一モード））を確定する選択肢（ノーマルモード確定ボタン８８）が表示される。そして、管理者がノーマルモード確定ボタン８８をタッチ操作することにより、選択されるモードとしてノーマルモードが確定し、モードの選択操作が完了する。
【０１９３】
また、第五階層にて太陽光発電第一モード選択ボタン８４又は太陽光発電第二モード選択ボタン８５をタッチ操作した場合に、モード確定画面において当該タッチ操作により選択されたモード（すなわち、太陽光発電第一モード（第三モード）又は太陽光発電第二モード（第四モード））を確定する選択肢（太陽光発電モード確定ボタン８９）が表示される。そして、管理者が太陽光発電モード確定ボタン８９をタッチ操作することにより、選択されるモードとして太陽光発電第一モード又は太陽光発電第二モードが確定し、モードの選択操作が完了する。
【０１９４】
また、第五階層にて燃料電池第一モード選択ボタン８６又は燃料電池第二モード選択ボタン８７をタッチ操作した場合に、モード確定画面において当該タッチ操作により選択されたモード（すなわち、燃料電池第一モード（第六モード）又は燃料電池第二モード（第七モード））を確定する選択肢（燃料電池モード確定ボタン９０）が表示される。そして、管理者が燃料電池モード確定ボタン９０をタッチ操作することにより、選択されるモードとして燃料電池第一モード又は燃料電池第二モードが確定し、モードの選択操作が完了する。
【０１９５】
このように、ノーマルモードと、太陽光発電モードと、燃料電池モードと、のモードの選択操作は、複数の選択肢を上位から下位の階層に移行させていくことにより行われるものである。すなわち、管理者は、操作部４０のタッチパネル式の液晶ディスプレイ４１に表示される映像に従って順番にタッチ操作すればよく、モードの選択操作を行い易くすることができる。
【０１９６】
また、本発明に係る電力供給システムは、分電盤２０と蓄電装置３０との電力のやり取りに関して、当該システムに備えられる機器に応じて３つのモード（ノーマルモード・太陽光発電モード・燃料電池モード）を有するものである。そして、これらのモードの選択は、居住者では行えず、管理者のみが行えるように構成される。すなわち、管理者がモードの選択操作を行えば、後から居住者により勝手にモードを変更されることがない。したがって、例えば電力会社等の居住者以外の者が、住宅に設けられる電力供給システムにおいて前記３つのモードのうち何れのモードが実行されているのかを区別（認識）することができる。
【０１９７】
こうして、例えば「電力供給システムが、分電盤と蓄電装置との電力のやり取りに関して、当該システムに備えられる機器に応じた複数のモードを有するものである場合に、どのモードが実行されているのかを区別できなければ、電力の買取価格は安くなる」という規定がある場合に、本発明に係る電力供給システムにおいては、管理者が予め選択し、居住者によって勝手に変更されることがないので、電力会社に選択内容を通知しておけばどのモードが選択されたのかを区別可能であり、当該規定に該当することにならないため、電力の買取価格（売電価格）は安くならず、経済的な利益を得ることができる。
【０１９８】
以上のように、本発明に係る電力供給システムは、
前記制御手段５０は、前記ノーマルモード（第一モード）及び前記太陽光発電モード（第二モード）に加えて燃料電池モード（第五モード）を択一的に実行可能であり、
前記ノーマルモード、前記太陽光発電モード、及び前記燃料電池モードの選択は、前記太陽光発電部６０及び燃料電池７０の有無に応じて、前記管理者により行われるものである。
【０１９９】
このような構成により、分電盤２０と蓄電装置３０との電力のやり取りに関して、太陽光発電部６０及び燃料電池７０の有無に応じた複数のモード（ノーマルモード・太陽光発電モード・燃料電池モード）を有し、例えば「電力供給システムが、分電盤と蓄電装置との電力のやり取りに関して、当該システムに備えられる機器に応じた複数のモードを有するものである場合に、どのモードが実行されているのかを区別できなければ、電力の買取価格は安くなる」という規定がある場合に、太陽光発電部６０で発電された電力を売電しても、管理者がモードを予め選択し、居住者によって勝手に変更されることがないので、電力会社に選択内容を通知しておけば区別可能であり前記規定に該当することにならないため、電力の買取価格（売電価格）は安くならず、経済的な利益を得ることができる。
【０２００】
また、本発明に係る電力供給システムにおいて、
前記燃料電池７０を有する場合に選択される燃料電池モードは、燃料電池第一モード（第六モード）を含み、
前記燃料電池第一モードが選択された場合には、
前記燃料電池７０からの電力を優先的に前記分電盤２０に供給する状態となり、
前記燃料電池７０及び前記太陽光発電部６０からの電力を前記分電盤２０に供給し、前記太陽光発電部６０の余剰電力を前記商用電源１０へと逆潮流している場合には、
前記蓄電装置３０を放電して前記分電盤２０に電力を供給することにより、
前記太陽光発電部６０の余剰電力の電力量を増やして前記商用電源１０に逆潮流させるものである。
【０２０１】
このような構成により、本発明に係る電力供給システムにおいては、居住者に金銭的な利益を与えることができる。
【０２０２】
また、本発明に係る電力供給システムにおいて、
前記燃料電池７０を有する場合に選択される燃料電池モードは、燃料電池第二モード（第七モード）を含み、
前記燃料電池第二モードが選択された場合には、
前記燃料電池７０からの電力を優先的に前記分電盤２０に供給する状態となり、
前記商用電源１０及び前記燃料電池７０からの電力を前記分電盤２０に供給している場合には、
前記商用電源１０及び前記燃料電池７０から前記分電盤２０に供給する電力の電力量を、少なくとも前記燃料電池７０の最大発電量（７００Ｗ）よりも多い電力量として設定される第一電力量（８００Ｗ）とするものである。
【０２０３】
このような構成により、本発明に係る電力供給システムにおいては、省エネ効果を得ることができる。
【０２０４】
また、本発明に係る電力供給システムにおいて、
前記燃料電池第一モード及び前記燃料電池第二モードは、前記居住者が選択可能であるものである。
【０２０５】
このような構成により、本発明に係る電力供給システムにおいては、燃料電池第一モード及び燃料電池第二モードを居住者が選択することができる。
【０２０６】
また、本発明に係る電力供給システムにおいて、
前記制御手段５０は、前記ノーマルモード、前記太陽光発電モード、及び前記燃料電池モードの選択に関して複数の選択肢を階層化させた階層情報を有し、
前記ノーマルモード、前記太陽光発電モード、及び前記燃料電池モードの選択は、前記複数の選択肢を上位から下位の階層に移行させていくことにより行われるものである。
【０２０７】
このような構成により、本発明に係る電力供給システムにおいては、ノーマルモード、太陽光発電モード、及び燃料電池モードの選択を行い易くすることができる。
【０２０８】
なお、本実施形態における燃料電池モード、燃料電池第一モード、燃料電池第二モードは、それぞれ本発明に係る「第五モード」、「第六モード」、「第七モード」の一実施形態である。
【符号の説明】
【０２０９】
１０  商用電源
２０  分電盤
３０  蓄電装置
４０  操作部
５０  制御手段
６０  太陽光発電部
１００  電力供給システム
２００  電力供給システム
【図１】
2014132816.tif 000003
【図２】
2014132816.tif 000004
【図３】
2014132816.tif 000005
【図４】
2014132816.tif 000006
【図５】
2014132816.tif 000007
【図６】
2014132816.tif 000008
【図７】
2014132816.tif 000009
【図８】
2014132816.tif 000010
【図９】
2014132816.tif 000011
【図１０】
2014132816.tif 000012
【図１１】
2014132816.tif 000013
【図１２】
2014132816.tif 000014
【図１３】
2014132816.tif 000015
【図１４】
2014132816.tif 000016
【図１５】
2014132816.tif 000017